(57)【要約】【課題】一般の者が日常生活の一環として宣伝広告活動に参加することができるとともに広告主等が宣伝広告活動の実施状況の確認を確実かつ容易に行うことができ、かつ所望の宣伝広告効果を得ることができる広告システム及びこの広告システムを用いた広告方法を提供する。【解決手段】属性情報が予めサーバに格納されたネットワークユーザが、制御コンピュータに入力された広告主の広告原稿データ及び広告条件に基づいて作成された宣伝広告サービスにおいて宣伝広告活動を実施する。宣伝広告活動の際に撮影した実施写真データはウェブサイトにアップロードされることから、宣伝広告活動を確実かつ容易に確認して正確に把握することができる。宣伝広告活動は直接的に対面して実施され、その際の実施写真データがウェブサイトにアップロードされることから、インターネット環境上でも宣伝広告活動が実施される。【選択図】図３
2014164539.tif 000002
【特許請求の範囲】
【請求項１】
ネットワークユーザを広告媒体として用いて広告主の依頼に基づいた宣伝広告活動を行う宣伝広告サービスを実施する広告システムであって、
前記ネットワークユーザの属性情報が予め格納されたサーバと、
該サーバとアクセス可能に接続されて前記広告主の広告原稿データ及び広告条件データが入力される制御コンピュータと、
該制御コンピュータに入力された前記広告主の広告原稿データ及び広告条件データに基づいて作成された前記宣伝広告サービスの情報が表示される募集画面と、
該募集画面を介して前記ネットワークユーザによって前記制御コンピュータに入力される応募データと、
該応募データと、前記広告条件データと前記サーバに格納された前記属性情報とを対比して前記広告条件データと一致する属性情報を選択して選択された属性情報と、を対比して該属性情報に含まれる前記応募データを選別するマッチング演算手段と、
該マッチング演算手段で選別された前記応募データを入力した前記ネットワークユーザが実施した宣伝広告活動が撮影された実施写真データと、
該実施写真データがアップロードされるウェブサイトと、
該ウェブサイトにアップロードされた前記実施写真データと統合される前記ネットワークユーザによって入力される実施報告データと、
を備えることを特徴とする広告システム。
【請求項２】
前記マッチング演算手段は、
前記広告条件データと前記サーバに格納された前記属性情報とを対比して前記広告条件データと一致する属性情報を選択する選択部と、
該選択部で選択された属性情報と前記応募データとを対比して該属性情報に含まれる前記応募データを選別するマッチング演算部と、
を備えることを特徴とする請求項１に記載の広告システム。
【請求項３】
前記ウェブサイトは、
前記実施写真データがアップロードされる第１ウェブサイトと、
該第１ウェブサイトから独立するとともに前記実施写真データがアップロードされる第２ウェブサイトと、
を備えることを特徴とする請求項１または２に記載の広告システム。
【請求項４】
ネットワークユーザを広告媒体として用いて広告主の依頼に基づいた宣伝広告活動を行う宣伝広告サービスを実施する広告システムを用いた広告方法であって、
前記ネットワークユーザの属性情報が予め格納されたサーバとアクセス可能に接続された制御コンピュータに前記広告主の広告原稿データ及び広告条件データを入力し、
該入力した前記広告主の広告原稿データ及び広告条件データに基づいて作成した前記宣伝広告サービスの情報を募集画面に表示し、
該募集画面を介して前記ネットワークユーザが前記制御コンピュータ応募データを入力し、
該入力された応募データと、前記広告条件データと前記サーバに格納された前記属性情報とを対比して前記広告条件データと一致する属性情報を選択して選択された属性情報と、を対比して該属性情報に含まれる前記応募データをマッチング演算手段が選別し、
該マッチング演算手段で選別した前記応募データを入力した前記ネットワークユーザが実施した宣伝広告活動を実施写真データとして撮影し、
該実施写真データをウェブサイトにアップロードし、
該ウェブサイトにアップロードした前記実施写真データと前記ネットワークユーザによって入力される実施報告データとを統合する、
ことを特徴とする広告システムを用いた広告方法。
【発明の詳細な説明】
【技術分野】
【０００１】
本発明は、広告システム及びこの広告システムを用いた広告方法、特に、ネットワークユーザを広告媒体として用いて広告主の依頼に基づいた宣伝広告活動を行う宣伝広告サービスを実施する広告システム及びこの広告システムを用いた広告方法に関する。
【背景技術】
【０００２】
製品やサービスの提供等を宣伝あるいは告知するための広告は、近年のデジタル技術及びネットワーク環境の進展によって、ネットワーク環境で提供される機会が増えている。
【０００３】
例えば、特許文献１には、広告主が広告配信サーバに広告原稿ファイルをアップロードし、インターネットを介してインターネット利用者が広告原稿ファイルを閲覧することができる広告配信システムが開示されている。
【０００４】
ところで、従来から、広告媒体として人を用いる宣伝広告が、広く一般的に行われている。
【０００５】
例えば、新製品の展示会等のイベントにおいては、イベントに新製品を出品する広告主が新製品を宣伝広告するために、いわゆるイベントコンパニオンを採用することがある。
【０００６】
このような宣伝広告方法においては、イベントコンパニオンが、広告主の企業名やロゴ等がデザインされたコスチュームを着用して、イベントの来場者に対して広告主の新製品が着目されるようにして宣伝広告効果を得られるように図っている。
【０００７】
一方、例えば、広告主の企業名やロゴ等がデザインされたシールを人の身体に貼付したりあるいは広告主の企業名やロゴ等を身体に描画したりして、このシールを貼付した者あるいは描画した者が街頭を歩行することで、このような広告を施した者と街頭ですれ違った者が、貼付されたシールや施された描画の宣伝広告に着目するような宣伝広告が行われている。
【０００８】
このような宣伝広告方法においては、身体にシールを貼付あるいは描画した広告媒体となる者を募集し、応募者の中から選別した広告媒体となる者が身体に宣伝広告等がデザインされたシールを貼付あるいは描画し、この広告媒体となる者に歩行すべき場所や時間等を指定して、指定場所及び指定時間に広告媒体となる者を歩行させて宣伝広告効果を得られるように図っている。
【先行技術文献】
【特許文献】
【０００９】
【特許文献１】特開２０１１−１５４４９３公報
【発明の概要】
【発明が解決しようとする課題】
【００１０】
上記のイベントコンパニオンによる宣伝広告方法によれば、イベントの来場者に対しては、広告主の新製品等をある程度は宣伝告知することができる。一方、上記の広告媒体となる者にシールを貼付あるいは描画する宣伝広告方法によっても、広告媒体となる者とすれ違った者に対しては、ある程度の宣伝告知を行うことができる。
【００１１】
しかし、上記のイベントコンパニオンによる宣伝広告方法によると、イベントコンパニオンによる宣伝広告を行っているイベントに来場した者のみにしか宣伝広告を行うことができない。広告媒体となる者にシールを貼付あるいは描画する宣伝広告方法によると、広告媒体者とすれ違った者のみにしか宣伝広告を行うことができない。
【００１２】
従って、上記各宣伝広告方法によっては、特定の者のみにしか宣伝広告を行うことができず、宣伝広告費用に見合った所望の宣伝広告効果を得られないことが懸念される。
【００１３】
さらに、上記のイベントコンパニオンによる宣伝広告方法は、イベントコンパニオンといった特定の業種に従事する者のみが宣伝広告を行うものであって、広告媒体として人を用いる宣伝広告を行いたいとの要求を有するイベントコンパニオン以外の業種に従事する者の願望を達成することができない。
【００１４】
一方、上記の広告媒体となる者にシールを貼付したり描画したりする宣伝広告方法によれば、イベントコンパニオン以外の業種に従事する者であっても、広告媒体として人を用いる宣伝広告に参加する機会が与えられる。
【００１５】
しかし、この宣伝広告方法では、広告媒体となる者が実際にシールを貼付あるいは描画して宣伝広告活動を行ったか否かの実施状況の確認を広告主あるいはその代理店が行わねばならないところ、この実施状況の確認は、広告主等が広告媒体となる者と対面して確認する必要がある。
【００１６】
従って、広告媒体となる者が多数に及ぶ場合は、確認の実施が困難になることが懸念される。その結果、広告媒体となる者による宣伝広告活動の実績を正確に把握することができなくなることが想定される。
【００１７】
本発明は、上記課題に鑑みてなされたものであり、その目的は、一般の者が日常生活の一環として宣伝広告活動に参加することができるとともに広告主等が宣伝広告活動の実施状況の確認を確実かつ容易に行うことができ、かつ所望の宣伝広告効果を得ることができる広告システム及びこの広告システムを用いた広告方法を提供することにある。
【課題を解決するための手段】
【００１８】
上記目的を達成するための請求項１に記載の発明は、ネットワークユーザを広告媒体として用いて広告主の依頼に基づいた宣伝広告活動を行う宣伝広告サービスを実施する広告システムであって、前記ネットワークユーザの属性情報が予め格納されたサーバと、該サーバとアクセス可能に接続されて前記広告主の広告原稿データ及び広告条件データが入力される制御コンピュータと、該制御コンピュータに入力された前記広告主の広告原稿データ及び広告条件データに基づいて作成された前記宣伝広告サービスの情報が表示される募集画面と、該募集画面を介して前記ネットワークユーザによって前記制御コンピュータに入力される応募データと、該応募データと、前記広告条件データと前記サーバに格納された前記属性情報とを対比して前記広告条件データと一致する属性情報を選択して選択された属性情報と、を対比して該属性情報に含まれる前記応募データを選別するマッチング演算手段と、該マッチング演算手段で選別された前記応募データを入力した前記ネットワークユーザが実施した宣伝広告活動が撮影された実施写真データと、該実施写真データがアップロードされるウェブサイトと、該ウェブサイトにアップロードされた前記実施写真データと統合される前記ネットワークユーザによって入力される実施報告データと、を備えることを特徴とする。
【００１９】
この構成によれば、属性情報が予めサーバに格納されたネットワークユーザが、制御コンピュータに入力された広告主の広告原稿データ及び広告条件に基づいて作成された宣伝広告サービスにおいて、日常生活の一環として宣伝広告活動を実施することができる。
【００２０】
宣伝広告活動の際に撮影した実施写真データはウェブサイトにアップロードされることから、インターネット環境を介して、ネットワークユーザの宣伝広告活動を確実かつ容易に確認して正確に把握することができる。
【００２１】
しかも、ネットワークユーザによって宣伝広告活動が直接的に対面して実施されるとともに、その際の実施写真データがウェブサイトにアップロードされることから、インターネット環境上でも宣伝広告活動が実施されることとなる。
【００２２】
従って、直接的に対面して、及びインターネット上のウェブサイト上といった複数のメディアで宣伝広告活動が実施されることから、効率的に宣伝広告活動を行うことができ、所望の宣伝広告効果を得ることができる。
【００２３】
請求項２に記載の発明は、請求項１に記載の広告システムにおいて、前記マッチング演算手段は、前記広告条件データと前記サーバに格納された前記属性情報とを対比して前記広告条件データと一致する属性情報を選択する選択部と、該選択部で選択された属性情報と前記応募データとを対比して該属性情報に含まれる前記応募データを選別するマッチング演算部と、を備えることを特徴とする。
【００２４】
この構成によれば、選択部で選択された属性情報と応募データとを対比して属性情報に含まれる応募データを選別するマッチング演算部を備えることから、宣伝広告サービスにおいて宣伝広告活動を実施するネットワークユーザを簡易かつ容易に選別することができる。
【００２５】
請求項３に記載の発明は、請求項１または２に記載の広告システムにおいて、前記ウェブサイトは、前記実施写真データがアップロードされる第１ウェブサイトと、該第１ウェブサイトから独立するとともに前記実施写真データがアップロードされる第２ウェブサイトと、を備えることを特徴とする。
【００２６】
この構成によれば、第１ウェブサイト及び第１ウェブサイトから独立した第２ウェブサイトに実施写真データがアップロードされることから、インターネット上の複数のウェブサイトにおいて、より効率的に宣伝広告活動を実施することができる。
【００２７】
上記目的を達成するための請求項４に記載の発明は、ネットワークユーザを広告媒体として用いて広告主の依頼に基づいた宣伝広告活動を行う宣伝広告サービスを実施する広告システムを用いた広告方法であって、前記ネットワークユーザの属性情報が予め格納されたサーバとアクセス可能に接続された制御コンピュータに前記広告主の広告原稿データ及び広告条件データを入力し、該入力した前記広告主の広告原稿データ及び広告条件データに基づいて作成した前記宣伝広告サービスの情報を募集画面に表示し、該募集画面を介して前記ネットワークユーザが前記制御コンピュータ応募データを入力し、該入力された応募データと、前記広告条件データと前記サーバに格納された前記属性情報とを対比して前記広告条件データと一致する属性情報を選択して選択された属性情報と、を対比して該属性情報に含まれる前記応募データをマッチング演算手段が選別し、該マッチング演算手段で選別した前記応募データを入力した前記ネットワークユーザが実施した宣伝広告活動を実施写真データとして撮影し、該実施写真データをウェブサイトにアップロードし、該ウェブサイトにアップロードした前記実施写真データと前記ネットワークユーザによって入力される実施報告データとを統合する、ことを特徴とする。
【００２８】
この構成によれば、属性情報が予めサーバに格納されたネットワークユーザが、制御コンピュータに入力された広告主の広告原稿データ及び広告条件に基づいて作成された宣伝広告サービスにおいて、日常生活の一環として宣伝広告活動を実施することができる。
【００２９】
ネットワークユーザは、宣伝広告活動の際に撮影した実施写真データをウェブサイトにアップロードすることから、インターネット環境を介して、ネットワークユーザの宣伝広告活動を確実かつ容易に確認して正確に把握することができる。
【００３０】
しかも、ネットワークユーザは直接的に対面して宣伝広告活動を実施するとともに、その際の実施写真データをウェブサイトにアップロードすることから、インターネット環境上でも宣伝広告活動が効率的に実施されることとなる。
【００３１】
従って、直接的に対面して、及びインターネット上のウェブサイト上といった複数のメディアで宣伝広告活動が実施されることから、効率的に宣伝広告活動を行うことができ、所望の宣伝広告効果を得ることができる。
【発明の効果】
【００３２】
この発明によれば、属性情報が予めサーバに格納されたネットワークユーザが、日常生活の一環として宣伝広告活動を実施することができる。宣伝広告活動の際に撮影した実施写真データはウェブサイトにアップロードされることから、広告主は、インターネット環境を介して、ネットワークユーザの宣伝広告活動を確実かつ容易に確認して正確に把握することができる。
【００３３】
しかも、ネットワークユーザによって宣伝広告活動が直接的に対面して実施されるとともに、その際の実施写真データがウェブサイトにアップロードされることから、インターネット環境上でも宣伝広告活動が実施されることとなる。
【００３４】
このように、直接的に対面して、及びインターネット上のウェブサイト上といった複数のメディアで宣伝広告活動が実施されることから、広告主は効率的に宣伝広告活動を行うことができ、所望の宣伝広告効果を得ることができる。
【図面の簡単な説明】
【００３５】
【図１】本発明の実施の形態に係る広告システムの概略を説明する図である。
【図２】宣伝広告サービスの概略を説明する図である。
【図３】本実施の形態に係る制御ユニットの概略を説明する図である。
【図４】同じく、本実施の形態に係る制御ユニットの制御コンピュータに設けられたマッチング演算手段の概略を説明する図である。
【図５】同じく、本実施の形態に係る広告原稿データの概略を説明する図である。
【図６】同じく、本実施の形態に係る広告条件データの概略を説明する図である。
【図７】同じく、本実施の形態に係る会員情報画面の概略を説明する図である。
【図８】同じく、本実施の形態に係る募集画面の画面遷移の概略を説明する図である。
【図９】同じく、本実施の形態に係る募集一覧画面の概略を説明する図である。
【図１０】同じく、本実施の形態に係る募集詳細画面の概略を説明する図である。
【図１１】同じく、本実施の形態に係る応募確認画面の概略を説明する図である。
【図１２】同じく、本実施の形態に係る実施写真データの概略を説明する図である。
【図１３】同じく、本実施の形態に係る実施報告画面の概略を説明する図である。
【発明を実施するための形態】
【００３６】
次に、本発明の実施の形態について、図１〜図１３に基づいて説明する。
【００３７】
図１は、本発明の実施の形態に係る広告システムの概略を説明する図である。図示のように、広告システム１は、インターネット２を介して複数の情報通信端末がネットワーク接続可能に構成されている。この情報通信端末は、本実施の形態では、広告システム１を構築して運営する運営事務局１０に構築された制御ユニット２０の制御コンピュータ２１、ネットワークユーザである広告システムの会員３０のコンピュータ３１−１〜３１−ｎ、及びスマートフォン３２−１〜３２−ｎによって構成されている。
【００３８】
制御コンピュータ２１は、運営事務局１０に構築されたサーバ２４に接続されるとともに、制御コンピュータ２１には、広告システム１において製品やサービス等の宣伝告知を行う広告主４０−１、４０−２〜４０−ｎのコンピュータ４１−１、４１−２〜４１−ｎが接続されている。
【００３９】
この広告システム１は、本実施の形態では、広告媒体として人を用いる宣伝広告に用いられるものであり、このような宣伝広告を行う宣伝広告サービスを運営事務局１０が企画運営している。
【００４０】
この宣伝広告サービスは、図２に示すように、新製品等の宣伝広告を希望する複数の広告主４０−１〜４０−ｎのそれぞれの宣伝広告依頼に基づいて広告イベントを企画して運営するサービスであり、運営事務局１０に予め登録された会員の中からそれぞれの広告イベントに適した会員が広告媒体として選択されて、広告イベントにおいて広告主４０−１〜４０−ｎの新製品等の宣伝広告活動を行う。
【００４１】
なお、広告イベントは、本実施の形態では、広告イベントに参加する広告媒体となる会員の人体の一部に広告内容が記載されたステッカーを貼付して、広告媒体となる会員が指定された街頭を歩行して宣伝広告したり、ステッカーを貼付した写真をウェブサイト上にアップロードして宣伝広告したりする方法によって実行される。
【００４２】
特に、本実施の形態では、広告媒体となる会員は女性であり、運営事務局１０によってミニスカートとニーハイソックスの着用が指定されるとともに、ミニスカートとニーハイソックスとの間の太腿部分にステッカーを貼付することが指定される。
【００４３】
図３は、本実施の形態に係る制御ユニット２０の概略を説明する図である。図示のように、制御ユニット２０は、広告主４０−１、４０−２〜４０−ｎの製品等の広告内容を記載した広告原稿データＤ１及び広告主４０−１、４０−２〜４０−ｎの提示する広告イベント参加の条件を記載した広告条件データＤ２が入力される制御コンピュータ２１、及びこの制御コンピュータ２１がアクセス可能となるように接続されたサーバ２４を主要構成として備える。
【００４４】
制御コンピュータ２１は、インターネット２上で運営事務局１０が運営する第１ウェブサイトとなるウェブサイト５０にアクセス可能に接続されている。ウェブサイト５０には、広告イベントへの参加を希望する会員の応募データＤ３が入力される募集画面５１、広告イベントに参加して広告を実施した会員の実施報告データＤ４が入力される実施報告画面５２、画像表示画面５３及び会員の属性情報である会員情報データＤ６が入力される会員情報画面５４が表示される。
【００４５】
さらに、制御コンピュータ２１は、広告イベントに参加して広告を実施した会員の実施写真データＤ５がアップロードされる、ウェブサイト５０から独立した第２ウェブサイトとなるいわゆるＳＮＳ（ソーシャルネットワークサービス）サイト５５にアクセス可能に構成されている。
【００４６】
ＳＮＳサイト５５にアップロードされた実施写真データＤ５は、制御コンピュータ２１に入力される。一方、実施報告画面５２に入力された実施報告データＤ４も、制御コンピュータ２１に入力される。これらの実施写真データＤ５及び実施報告データＤ４は、制御コンピュータ２１で統合されて統合データが生成され、この統合データが制御コンピュータ２１内に格納される。
【００４７】
一方、会員情報画面５４には、会員情報データＤ６が入力されてサーバ２２に格納される。運営事務局１０の運営する宣伝広告サービスにおいて企画された広告イベントに参加するためには、宣伝広告サービスの会員登録を行うことが必要であり、登録を希望する者は、登録の際に会員情報データＤ６を会員情報画面５４に入力する。
【００４８】
図４は、制御コンピュータ２１に設けられたマッチング演算手段２２の概略を説明する図である。図示のように、マッチング演算手段２２は、入力される広告条件データＤ２を受信する第１受信部２２ａ及び入力される応募データＤ３を受信する第２受信部２２ｂを備える。
【００４９】
このマッチング演算手段２２は、第１受信部２２ａで受信された広告条件データＤ２とサーバ２４に格納された会員情報データＤ６とを対比して広告条件データＤ２の条件に一致する会員情報データＤ６を選択する選択部２２ｃを備える。
【００５０】
さらに、マッチング演算手段２２は、選択部２２ｃで選択された会員情報データＤ６に、第２受信部２２ｂで受信された応募データＤ３が含まれるか否かを演算して、応募データＤ３のうちで選択された会員情報データＤ６に含まれるもののみを選別するマッチング演算部２２ｄ、及びマッチング演算部２２ｄで選別された応募データＤ３が出力される出力部２２ｅを備える。
【００５１】
出力部２２ｅに出力された応募データＤ３は、送信部２３を介して会員３０のコンピュータ３１−１〜３１−ｎ、及びスマートフォン３２−１〜３２−ｎに送信される。
【００５２】
図５は、広告原稿データＤ１の概略を説明する図である。図示のように、広告原稿データＤ１は、本実施の形態では広告主４０−１が電子データ形式で作成するものであり、運営事務局１０の制御コンピュータ２１に入力される。
【００５３】
この広告原稿データＤ１は、本実施の形態では、広告主の名称を記載する広告主名データｄ１、広告内容を記載する広告内容データｄ２、広告媒体となる会員が貼付するステッカーに記載される文言を記載する記載内容データｄ３、及びステッカーの貼付場所を指定する貼付場所指定データｄ４によって構成される。
【００５４】
図６は、広告条件データＤ２の概略を説明する図である。図示のように、広告条件データＤ２は、本実施の形態では、広告原稿データＤ１と同様に広告主４０−１が電子データ形式で作成するものであり、運営事務局１０の制御コンピュータ２１に入力される。
【００５５】
この広告条件データＤ２は、本実施の形態では、項目Ｄ２Ａと条件Ｄ２Ｂとを主要構成として備える。項目Ｄ２Ａは、本実施の形態では、「年齢」、「性別」、「居住地域」、「服装の傾向」、及び「髪型」の各条件項目によって構成される。
【００５６】
この項目Ｄ２Ａの各条件項目に対応する条件内容として、条件Ｄ２Ｂが構成される。具体的には、条件Ｄ２Ｂは、条件項目「年齢」に対応する条件内容である「２０代」、条件項目「性別」に対応する「女性」、条件項目「居住地域」に対応する「関東近郊」、条件項目「服装の傾向」に対応する「ギャル系」、及び条件項目「髪型」に対応する「ショートボブ」が設定されている。
【００５７】
図７は、会員情報画面５４の概略を説明する図である。図示のように、会員情報画面５４は、会員登録を希望する者の属性情報となる会員情報データＤ６が入力される画面であり、会員登録を希望する者のコンピュータ３１−１〜３１−ｎ、及びスマートフォン３２−１〜３２−ｎの表示部に表示される。
【００５８】
この会員情報画面５４には、本実施の形態では、会員登録を希望する者の氏名、職業、年齢、性別、住所、服装の傾向、髪型、メールアドレス、報酬振込先（金融機関の名称や口座番号等）が会員情報データＤ６として入力されるとともに、本実施の形態では、会員登録を希望する者の顔写真Ｄ６ａも会員情報データＤ６としてアップロードされる。なお、顔写真Ｄ６ａについては、会員情報データＤ６としてアップロードされなくともよい。
【００５９】
会員情報データＤ６が入力された後に、会員情報画面５４の下部に配置された会員登録ボタン５４ａをクリックすると、会員情報データＤ６が運営事務局１０のサーバ２４に送られて格納され、会員登録が完了する。
【００６０】
図８は、募集画面５１の画面遷移の概略を説明する図である。図示のように、募集画面５１は、初期画面５１Ａ、募集一覧画面５１Ｂ、募集詳細画面５１Ｃ及び応募確認画面５１Ｄによって構成され、会員３０のコンピュータ３１−１〜３１−ｎ、及びスマートフォン３２−１〜３２−ｎの表示部に表示される。
【００６１】
初期画面５１Ａにおいて、会員が利用するＳＮＳサイト５５のユーザＩＤ及びパスワードが入力されると、運営事務局１０が運営する宣伝広告サービスにログインした状態となり、募集一覧画面５１Ｂ、募集詳細画面５１Ｃ、応募確認画面５１Ｄと順に遷移することが可能となる。
【００６２】
図９は、募集一覧画面５１Ｂの概略を説明する図である。図示のように、募集一覧画面５１Ｂは、運営事務局１０が運営する宣伝広告サービスの名称が表示されるタイトル表示部５１Ｂａ、及び宣伝広告サービスにおいて現在募集している広告イベントの一覧が表示される広告イベント表示部５１Ｂｂを主要構成として備える。
【００６３】
タイトル表示部５１Ｂａには、運営事務局１０が運営する宣伝広告サービスの名称、例えば本実施の形態では「ステッカー広告」が表示される。一方、広告イベント表示部５１Ｂｂには、広告主４０−１〜４０−ｎの宣伝広告依頼に基づいて運営事務局１０が企画した複数の広告イベントの一覧が、「現在募集中の広告」として表示される。
【００６４】
これらの複数の広告イベントは、本実施の形態では、広告主４０−１であるペットショップＡによるサービスの広告イベント、広告主４０−２である脱毛サロンＢの広告イベント、広告主４０−３である映画会社の新作映画Ｃの広告イベント、広告主４０−４であるゲーム会社の新作ゲームＤの広告イベント、広告主４０−５であるレコード会社の新譜Ｅの広告イベント、及び広告主４０−６であるフットサルチームＦの広告イベントが一覧としてそれぞれ表示される。
【００６５】
これらの各広告イベントにはそれぞれ、広告媒体となる会員の太腿部分に貼付するステッカーのステッカー見本が表示されている。具体的には、本実施の形態では、ペットショップＡにはハート型のステッカー見本Ｓ１、脱毛サロンＢには星型のステッカー見本Ｓ２、新作映画Ｃにはスペード型のステッカー見本Ｓ３、新作ゲームＤには円形のステッカー見本Ｓ４、新譜Ｅにはひし形のステッカー見本Ｓ５、及びフットサルチームＦには人を模した型のステッカー見本Ｓ６が表示されている。
【００６６】
図１０は、募集詳細画面５１Ｃの概略を説明する図である。この募集詳細画面５１Ｃは、広告イベント表示部５１Ｂｂに表示される広告イベントを選択してクリックすると表示される。本実施の形態では、ペットショップＡによるサービスの広告イベントが選択されてクリックされる。
【００６７】
図示のように、募集詳細画面５１Ｃは、広告イベントの詳細が表示される画面であり、ペットショップＡによる広告の内容や条件等の情報が表示される。具体的には、ペットショップＡの広告イベントにおいて広告媒体となる会員の太腿部分に貼付するステッカーのステッカー見本Ｓ１が表示されるとともに、広告イベントに応募する条件、報酬及び広告実施期間等が表示される。
【００６８】
本実施の形態では、ペットショップＡの広告イベントに応募するための応募条件としては、「太ももにステッカーを貼って、ステッカーと動物が一緒に写った写真を投稿すること」及び「投稿する写真は××公園の噴水の前で撮影すること」が掲げられている。
【００６９】
募集詳細画面５１Ｃの下部に配置された応募ボタン５１Ｃａをクリックすると、応募確認画面５１Ｄに遷移する。一方、応募ボタン５１Ｃａと並んで配置された戻るボタン５１Ｃｂをクリックすると、募集一覧画面５１Ｂに戻る。
【００７０】
図１１は、応募確認画面５１Ｄの概略を説明する図である。この応募確認画面５１Ｄは、募集詳細画面５１Ｃの応募ボタン５１Ｃａをクリックすると表示される。
【００７１】
図示のように、応募確認画面５１Ｄは、ステッカー見本Ｓ１が表示された応募確認ウインドウ５１Ｄａが上部に表示される。この応募確認ウインドウ５１Ｄａの下方に、実施写真データＤ５を投稿する予定のＳＮＳサイト５５を選択するＳＮＳサイト選択リスト５１Ｄｂ、及びステッカーを送付する先を記載する送付先記載ボックス５１Ｄｃが表示される。
【００７２】
ペットショップＡの広告イベントに応募する会員３０は、ＳＮＳサイト選択リスト５１Ｄｂから実施写真データＤ５を投稿する予定のＳＮＳサイト５５を選択してチェックボックスをクリックし、送付先記載ボックス５１Ｄｃにステッカーの送付先（例えば自宅の住所）を記載した後、応募確認画面５１Ｄの下部に配置された応募ボタン５１Ｄｄをクリックすると、応募データＤ３が運営事務局１０の制御コンピュータ２１に送られて、応募が完了する。
【００７３】
一方、応募ボタン５１Ｄｄと並んで配置されたキャンセルボタン５１Ｄｅをクリックすると、募集一覧画面５１Ｂに戻る。
【００７４】
図１２は、ペットショップＡの広告イベントで宣伝広告を行った会員３０が宣伝広告の際に撮影した実施写真データＤ５の概略を説明する図である。図示のように、実施写真データＤ５には、運営事務局１０によって指定されたミニスカート３０ａとニーハイソックス３０ｂを着用し、かつミニスカート３０ａとニーハイソックス３０ｂとの間の太腿部分にステッカーＳを貼付するとともに、広告主４０−１であるペットショップＡによって指定された動物Ｄを連れた会員３０が撮影されている。
【００７５】
この実施写真データＤ５は、応募確認画面５１Ｄにおいて選択された実施写真データＤ５を投稿する予定のＳＮＳサイト５５に、会員３０によってアップロードされる。
【００７６】
図１３は、実施報告画面５２の概略を説明する図である。図示のように、実施報告画面５２は、広告イベントに参加して宣伝広告を行った会員３０が運営事務局に対して宣伝広告を実施した旨を報告する画面であり、会員３０のコンピュータ３１−１〜３１−ｎ、及びスマートフォン３２−１〜３２−ｎの表示部に表示される。
【００７７】
この実施報告画面５２では、実施写真データＤ５をアップロード（投稿）したＳＮＳサイト５５、アップロードした実施写真データＤ５を運営事務局１０のウェブサイト５０で公開するか否かの選択が、実施報告データＤ４として入力される。
【００７８】
実施報告画面５２の下部に配置された実施報告ボタン５２ａをクリックすると、実施報告データＤ４が運営事務局１０の制御コンピュータ２１に送られて、実施報告が完了する。
【００７９】
制御コンピュータ２１に送られた実施報告データＤ４とＳＮＳサイト５５にアップロードされた実施写真データＤ５は、上述のように、制御コンピュータ２１で統合されて統合データとして生成され、この統合データが制御コンピュータ２１内に格納される。
【００８０】
次に、本実施の形態に係る広告システム１の運用方法について説明する。なお、本実施の形態では、広告システム１の運用方法に関して、広告主４０−１であるペットショップＡの広告イベントが運用される場合を例として説明する。
【００８１】
宣伝広告サービスを運営するにあたり、運営事務局１０は、宣伝広告サービスに登録する会員を、ウェブサイト５０の会員情報画面５４を介して募集する。応募してきた会員登録を希望する者は、会員情報データＤ６を会員情報画面５４に入力する。
【００８２】
運営事務局１０は、入力された会員情報データＤ６に基づいて会員登録を行う。会員登録がなされると、会員情報データＤ６はサーバ２４に格納される。
【００８３】
一方、宣伝広告サービスにおいて宣伝広告を行うことを希望する広告主４０−１であるペットショップＡは、運営事務局１０の制御コンピュータ２１に、広告原稿データＤ１及び広告条件データＤ２を送信する。広告原稿データＤ１及び広告条件データＤ２を受領した運営事務局１０は、広告原稿データＤ１及び広告条件データＤ２に基づいて広告イベントを企画する。
【００８４】
広告イベントの企画が終了し次第、運営事務局１０は、広告イベントの内容を宣伝広告サービスのウェブサイト５０上にアップロードして、宣伝広告サービスの会員３０から広告イベントへの参加を希望する会員３０を募集する。
【００８５】
ペットショップＡの広告イベントに参加を希望する会員３０は、宣伝広告サービスのウェブサイト５０内の募集画面５１における募集一覧画面５１Ｂから、ペットショップＡの広告イベントを選択して、募集詳細画面５１Ｃ及び応募確認画面５１Ｄを介して応募データＤ３を入力する。
【００８６】
入力された応募データＤ３は、制御コンピュータ２１に設けられたマッチング演算手段２２において、広告主４０−１の広告条件データＤ２にマッチングするか否かの演算がなされる。
【００８７】
具体的には、マッチング演算手段２２の選択部２２ｃは、サーバ２４に格納された会員情報データＤ６の中から、広告条件データＤ２の条件に一致する会員情報データＤ６を選択する。
【００８８】
一方、マッチング演算部２２ｄは、募集詳細画面５１Ｃ及び応募確認画面５１Ｄを介して入力された応募データＤ３が、選択部２２ｃで選択された会員情報データＤ６に含まれるか否かを演算し、応募データＤ３のうちで、選択された会員情報データＤ６に含まれるもののみを選別する。選別された応募データＤ３は、出力部２２ｅに出力される。
【００８９】
出力部２２ｅに出力された応募データＤ３を入力した会員３０は、広告主４０−１の広告イベントに参加する資格を得ることとなり、出力部２２ｅに出力された応募データＤ３を入力した会員３０のコンピュータ３１−１〜３１−ｎあるいはスマートフォン３２−１〜３２−ｎに、広告主４０−１の広告イベントに参加する資格を得た旨が、送信部２３を介して電子メールで送信される。
【００９０】
広告イベントに参加する資格を得た会員３０には、応募確認画面５１Ｄの送付先記載ボックス５１Ｄｃに記載したステッカーＳの送付先に、広告主４０−１の広告イベントにおいて用いられるステッカーＳが運営事務局１０から送付される。
【００９１】
ステッカーＳを受け取った会員３０は、募集詳細画面５１Ｃにおいて指定されている広告イベントの条件に従って、宣伝広告活動を実施することとなる。本実施の形態では、指定された期間において、指定された場所（××公園の噴水の前）で、指定された部位（太もも）にステッカーＳを貼って、指定された宣伝広告活動（ステッカーと動物が一緒に写った写真を撮影してＳＮＳサイト５５に投稿する）を行う。
【００９２】
このように、広告主４０−１であるペットショップＡのサービスについての宣伝広告活動が特定の場所において直接的に対面して実施されるとともに、対面して宣伝広告活動が実施された際の実施写真データＤ５がＳＮＳサイト５５にアップロードされることによって、インターネット２上でも宣伝広告活動が実施されることとなる。
【００９３】
広告主４０−１の広告イベントにおいて宣伝広告活動を実施した会員３０は、その後、宣伝広告サービスのウェブサイト５０にログインして、実施報告画面５２に遷移する。この実施報告画面５２において、会員３０は、実施報告データＤ４を入力する。
【００９４】
実施報告画面５２において、ＳＮＳサイト５５にアップロードした実施写真データＤ５を運営事務局１０のウェブサイト５０で公開する旨の実施報告データＤ４を入力した場合は、実施写真データＤ５がウェブサイト５０の画像表示画面５３にアップロードされて公開される。
【００９５】
これにより、ＳＮＳサイト５５以外のインターネット２上のウェブサイト５０においても、宣伝広告活動が実施されることとなる。
【００９６】
ＳＮＳサイト５５にアップロードされた実施写真データＤ５及び実施報告画面５２に入力された実施報告データＤ４は、制御コンピュータ２１で統合されて、統合データが生成される。
【００９７】
この統合データに基づいて、広告主４０−１の広告イベントで宣伝広告活動を行った会員３０に対して、報酬が支払われる。報酬は、会員情報画面５４において入力された報酬振込先に振り込まれる。
【００９８】
このように、本実施の形態の広告システム１によれば、例えばイベントコンパニオンといった特定の業種に従事していない者であっても、運営事務局１０の運営する宣伝広告サービスの会員登録を行いさえすれば、日常生活の一環として宣伝広告活動を実施することができる。
【００９９】
宣伝広告活動を行った会員３０は、宣伝広告活動の際に撮影した写真を実施写真データＤ５としてＳＮＳサイト５５にアップロードするとともに宣伝広告サービスのウェブサイト５０に実施報告データＤ４を入力する必要があることから、広告主４０−１〜４０−ｎあるいは運営事務局１０は、会員３０による宣伝広告活動の実施状況を、インターネット２の環境を介して確実かつ容易に確認して正確に把握することができる。
【０１００】
しかも、宣伝広告活動が特定の場所において直接的に対面して実施されるとともに、その際の実施写真データＤ５がＳＮＳサイト５５にアップロードされることから、インターネット２上でも宣伝広告活動が実施されることとなる。
【０１０１】
さらに、ＳＮＳサイト５５にアップロードした実施写真データＤ５が運営事務局１０のウェブサイト５０で公開される場合もあることから、ＳＮＳサイト５５以外のインターネット２上のウェブサイト５０においても、宣伝広告活動が実施されることとなる。
【０１０２】
このように、特定の場所において、あるいはインターネット２上の複数のウェブサイト上といった複数のメディアで広告イベントの宣伝広告活動が実施されることから、効率的に宣伝広告活動を行うことができ、広告主４０−１〜４０−ｎは、所望の宣伝広告効果を得ることができる。
【０１０３】
なお、本発明は上記実施の形態に限定されることはなく、発明の趣旨を逸脱しない範囲で種々変更可能である。上記実施の形態では、広告主４０−１〜４０−ｎの広告条件データＤ２として「年齢」、「性別」、「居住地域」、「服装の傾向」、及び「髪型」の各条件項目によって構成された場合を説明したが、広告主４０−１〜４０−ｎの広告イベントに応じて適宜変更可能である。なお、広告原稿データＤ１についても同様に適宜変更可能である。
【０１０４】
本実施の形態では、ＳＮＳサイト５５にアップロードされた実施写真データＤ５と実施報告データＤ４とが統合されて統合データが生成される場合を説明したが、ウェブサイト５０の画像表示画面５３にアップロードされた実施写真データＤ５と実施報告データＤ４とが統合されて統合データが生成されてもよい。
【０１０５】
本実施の形態では、広告媒体となる会員が女性である場合を説明したが、宣伝広告の種類や内容等によっては女性に限定されるものではなく、男性であってもよい。
【符号の説明】
【０１０６】
１    広告システム
２    インターネット
１０    運営事務局
２０    制御ユニット
２１    制御コンピュータ
２２    マッチング演算手段
２４    サーバ
２２ｄ    マッチング演算部
３０    会員（ネットワークユーザ）
３１−１〜３１−ｎ    コンピュータ
３２−１〜３２−ｎ    スマートフォン
４０−１〜４０−ｎ    広告主
５０    ウェブサイト（第１ウェブサイト）
５１    募集画面
５２    実施報告画面
５４    会員情報画面
５５    ＳＮＳサイト（第２ウェブサイト）
Ｄ１    広告原稿データ
Ｄ２    広告条件データ
Ｄ３    応募データ
Ｄ４    実施報告データ
Ｄ５    実施写真データ
Ｄ６    会員情報データ（属性情報）
【図１】
2014164539.tif 000003
【図２】
2014164539.tif 000004
【図３】
2014164539.tif 000005
【図４】
2014164539.tif 000006
【図５】
2014164539.tif 000007
【図６】
2014164539.tif 000008
【図７】
2014164539.tif 000009
【図８】
2014164539.tif 000010
【図９】
2014164539.tif 000011
【図１０】
2014164539.tif 000012
【図１１】
2014164539.tif 000013
【図１２】
2014164539.tif 000014
【図１３】
2014164539.tif 000015